(57)【要約】【課題】  専門業社が設備する大掛かりな印刷機、断裁機、紙折り機、スリッターや圧着システムを使用することなく、個人でも１枚からの圧着葉書類を容易にしかも安価に製造することができる圧着葉書類用用紙を提供する。【解決手段】  折り線３を介して連接された複数の葉片１、２を折り畳むと郵政法で決められたサイズに合致する圧着葉書類用用紙を複数連接しＳ２とする。好ましくはマイクロミシン６や切り欠き部分Ｋを設けておけば切り離しや開封に際して非常に便利である。【選択図】  図２
2005074997.tif 000002
【特許請求の範囲】
【請求項１】
折り線を介して連接された複数の葉片を折り畳み任意の対向面同士を疑似接着手段を介して剥離可能に一体化する圧着紙葉類用の用紙が複数連接されていることを特徴とした圧着紙葉類用用紙。
【請求項２】
複数の圧着紙葉類用の用紙が切り取り用のミシン目を介して連接されていることを特徴とした請求項１記載の圧着紙葉類用用紙。
【請求項３】
圧着紙葉類用の用紙の各葉片を連接する任意の折り線が折り用のミシン目からなることを特徴とした請求項１及び２に記載の圧着紙葉類用用紙。
【請求項４】
各葉片を折り合わせた時に完全に一致せずに段差が生じる位置に折り線を中央からずらして配置したことを特徴とした請求項１乃至３に記載の圧着紙葉類用用紙。
【請求項５】
剥離の端緒となる任意の葉片のコーナー及び／又は縁辺に切り欠きを設けたことを特徴とした請求項１乃至４に記載の圧着紙菓類用用紙。
【請求項６】
剥離の端緒となる任意の葉片のコーナー及び／又は縁辺に切り取り用のミシン目で切り欠き部分を形成したことを特徴とした請求項１乃至４に記載の圧着紙葉類用用紙。
【発明の詳細な説明】
【発明の詳細な説明】
【技術分野】
【０００１】  本発明はＤＭをはじめ葉書、往復葉書、封書等に利用可能な圧着紙葉類を作成する際に使用する圧着紙葉類用用紙に関する。詳しくは見掛けは通常のＤＭ、葉書、往復葉書、封書であるにもかかわらず、多層に折り畳まれたシートが剥離可能に積層されているため、多量の情報の隠蔽が可能な圧着紙葉類用用紙に関する。
【背景技術】
【０００２】  最近葉書等の郵便物において、情報が記載された複数連接された葉片を折り畳み、多量の情報を隠蔽状態で郵送可能にした圧着紙葉類が多用されている。
この様な圧着紙葉類は、例えば圧着紙葉類が複数丁印刷された印刷紙を個別の圧着紙葉類に裁断し、その後各葉片を折り畳み任意の対向面を剥離可能に接着（以下疑似接着という）する方法により製造されている（例えば特許文献１参照）。
【特許文献１】  実開平１−１７４１７０号公報
【発明の開示】
【発明が解決しようとする課題】
【０００３】  しかし前記方法は大掛かりな印刷機や裁断機及び折り機等を必要とするために、個人が少数の圧着紙葉類を製造するには向かない。
そこで本出願人は、そのような少数に対応する圧着紙葉類の製造装置として特願２００１−２９６９７９号（特開２００３−１０３９６７号）「カット紙用の圧着紙葉類製造装置」の提案に関わったが、これにより個人でも少数の圧着紙葉類をトナーによるオンデマンド印刷で製造することが可能になった。
前記製造装置によれば、プリンター等で両面に印刷を施したＡ５サイズの用紙（丁度葉書倍寸のサイズになる）を二つ折りにして圧着葉書を製造するものである。しかし一般にＡ５サイズの用紙で圧着葉書を製造するといっても、郵便法による仕上がり寸法や重量に関する厳しい規定があるため、その規定を満足する用紙の選択は現実素人には無理である。
またＡ５サイズの用紙を一枚毎にプリンターで印刷するのであるが、プリンターにかかる印刷コストが印刷する用紙の大きさに関わらず通した枚数により計算される。
従って、圧着紙葉類を製造する者としては、郵便法の規定に煩わされることなく、できれば少部数に対応するオンデマンド印刷で、より低コストの圧着紙葉類を製造したいところである。
この発明はかかる問題に鑑み、個人が製造する少数の圧着紙葉類に対応したもので、郵便法の厳しい規定（用紙の寸法や重量等）を満足する用紙の選択に煩わされることがなく、低コストで本格的な印刷を施した圧着紙葉類を、１枚から安価に製造することが可能な圧着紙葉類用用紙を提供するものである。
【課題を解決するための手段】
【０００４】  上記問題を解決するために本発明の圧着紙葉類用用紙は、折り線を介して連接された複数の葉片を折り畳み任意の対向面同士を疑似接着手段を介して剥離可能に一体化する圧着紙葉類用の用紙が複数連接されていることを特徴としている。【０００５】  通常葉書における規定寸法は長辺が１４ｃｍ〜１５．４ｃｍ、短辺が９ｃｍ〜１０．７ｃｍで規定重量が２ｇ〜６ｇとなっている。圧着紙葉類を通常葉書として使用する場合には、折り畳み後の最終寸法と重量が前記規定を満足する必要がある。
例えば葉書２倍寸サイズの用紙を二つ折りし、対向面間を疑似接着する場合に、Ａ５サイズの用紙を使用すれば、そのサイズが１４８ｍｍ×２１０ｍｍなので２つ折りにすると１４８ｍｍ×１０５ｍｍとなる。そして重量は四六判換算で１１０ｋｇか９０ｋｇの用紙を選択すれば寸法も重量も前記規定を満足するのである。【０００６】  前記Ａ５サイズの例からすると、Ａ４サイズの用紙であれば二つ折りの葉書用紙が２枚分取れ、同様にＡ３サイズの用紙であれば４枚分取れることになる。この様に１回の印刷で複数枚の圧着紙葉類を一括して印刷できるため、１枚の圧着紙葉類の印刷単価が割り引かれ分散されることになる。即ちＡ５サイズの二つ折り葉書用紙をそのまま１枚印刷するのに印刷代が１００円の場合、Ａ３サイズに４枚の二つ折り葉書用紙が連接された用紙で４枚分を印刷しても１００円の印刷代（用紙の大きさは関係なく１回通すと１００円という計算になる）で済むため、結局１枚あたりの印刷代は２５円になり４分の１で済む。【０００７】  本発明はそのような複数の葉書用紙等が連接された圧着紙葉類用用紙を提供するものであるが、以下のような加工を付加しておけばその作成や使用態様がさらに至便になる。
例えば、Ａ４サイズの用紙であればＡ５サイズに２分割できるように、またＡ３サイズであれば４分割できるよう予め切り取り用にマイクロミシン等の加工を施しておけば、印刷後手切りにより個別に容易に分離できて至便である。
また２つ折りに折り畳むので折り線部分に予め折り筋や折りミシン等の加工を施しておけば手で折るにあたり至便である。
この様な加工が施された圧着紙葉類用用紙は、最近家庭に普及している両面フルカラーレーザープリンタや両面フルカラーコピーを使用して、個人でも簡単に圧着紙葉類の印刷を行うことができる。
勿論本発明の圧着紙葉類用用紙は上記Ａ判サイズに限定されるものではない。例えば定型外のサイズを必要とする場合にはＢ判、菊判、四六判等から選択されても構わず、また場合によっては変形サイズが選択されても構わない。【０００８】  印刷が施されて個別に分離された圧着紙葉類用用紙は例えば手で２つ折りされる。そして隠蔽される対向面同士を各種疑似接着手段により疑似接着する。前記疑似接着手段は公知の方法が採用できるが、例えば剥離可能に積層された２枚のフィルムの両外側に感熱接着剤層を設けた疑似接着積層体等を対向面間に挿入し、ヒートローラー等により加熱、加圧処理を施すことにより全体を剥離可能に一体化することができる。
前記疑似接着積層体の層構成等には制限はない。また前記感熱接着剤層を粘着剤層や感圧性（強圧に反応する）接着剤層及び感湿性の接着剤層等に設計変更しても構わず、その場合それぞれの接着条件に合わせた処理を施せばよい。【０００９】  疑似接着手段としては前記疑似接着積層体の他に、業界で「圧着紙」と呼ばれる強圧により疑似接着性を示す用紙を使用することもできる。この圧着紙は例えば天然ゴム系や合成ゴム系のゴムを主体とし各種添加剤を加えた疑似接着媒体を紙に塗工したもので、このようにしてできた圧着紙に印刷を施した後に折り畳み、対向面同士を加圧ローラー等により加圧すると疑似接着する。【００１０】  また別の疑似接着手段として、印刷した後に圧着紙葉類用用紙の疑似接着予定面に疑似接着媒体を塗布する方法も可能である。疑似接着媒体としては例えば紫外線硬化型のニスを使用したり、天然ゴム系や合成ゴ厶系の糊を使用するものが既にあり、そのような疑似接着媒体を塗布した疑似接着予定面同士を対向させてヒートローラ等に通し加熱、加圧又は加圧処理を施すことにより疑似接着することができる。【００１１】  さらに別の疑似接着手段として、紙繊維に合成樹脂を漉き込んだ用紙を好適に使用することができる。この様な用紙として例えば日本紙パルプ商事株式会社製の商品名「ポクサス」等がある。この用紙は印刷を施した後に折り畳み、ヒートローラ等に通して加熱、加圧処理を施すことにより疑似接着することができる。【００１２】  圧着紙葉類用用紙はその折り畳みに際し、折り線を連接された両葉片の中央から僅かにずらしておけば、折り合わせても対向する両葉片が完全に一致せず開封縁辺に沿って段差が生じる。この段差を剥離の端緒として使用すれば誰にでも容易に圧着紙葉類を開封することができる。
また剥離すべき葉片のコーナーに切り欠きを設けておけばその部分に形成される段差を剥離の端緒として使用することができる。この切り欠きは用紙の段階で予め切り落としておいて、葉片を折り畳むと必然的に段差を形成するようにしておいてもよいが、ミシン目等により切り落としが可能な状態にしておき、使用者が作成時に任意に切り落として使用するようにしておいても構わない。また切り欠き部分を切り落とさずに作成し、開封にあたりミシン目を折り曲げて破断しスリットを形成してその部分から剥離するようにしても構わない。
【発明の効果】
【００１３】  本発明の圧着紙葉類用用紙を使用すれば、一般に普及している通常のプリンタを使用して印刷するだけで、自動的に郵便法の規定を満足する圧着紙葉類を無駄なく印刷できる。
１回の印刷で複数丁の圧着葉書類に印刷を施した後は手作業で簡単に分離し単品の葉書用紙に切り分け、折り畳んだ後に公知の簡便な疑似接着処理を施せば、素人でも安価な印刷代で楽に少数の圧着紙葉類を安価に製造することができる。
そして剥離の端緒になる段差を利用すれば、受取人は圧着紙葉類を容易に開封剥離してすぐさま内容を確認することができる。
【発明を実施するための最良の形態】
【００１４】  図１（Ａ）及び（Ｂ）は最小単位の二つ折り葉書用紙の表面図と裏面図をそれぞれ表す。図２は二つ折り葉書が２丁印刷されたＡ４サイズの圧着紙葉類用用紙の表面図を表す。図３は二つ折り葉書が４丁印刷されたＡ３サイズの圧着紙葉用用紙の表面図を表す。図４及び図５はＺ折り葉書が３丁印刷されたＡ３サイズの圧着紙葉類用用紙の表面図と裏面図をそれぞれ表す。図６はＺ折り葉書の断面図を表す。図７及び図８は巻き三つ折りの往復葉書が３丁印刷されたＡ３サイズの圧着紙葉類用用紙の表面図と裏面図をそれぞれ表す。図９は巻き三つ折りの往復葉書の断面図を表す。図１０（Ａ）及び（Ｂ）は切り欠き部分にミシン目を設けた場合の各種圧着紙葉類用用紙の表面図をそれぞれ表す。
以下図面に沿って本発明の圧着紙葉類用用紙を詳しく説明する。【００１５】  まず本発明を使用して作成することができる圧着紙葉類を極めて単純な例に沿って具体的に説明する。
図１は本発明で最も基本的な二つ折り葉書の例を示すものである。同図（Ａ）及び（Ｂ）は長辺が２１０ｍｍ、短辺が１４８ｍｍのＡ５サイズで重量が四六判換算で約９０〜１１０ｋｇの二つ折り葉書用紙Ｓの表面図と裏面図をそれぞれ表す。この用紙をほぼ中央の折りミシン３（必ずしも表示する必要はなく折り筋等に代えることも可能である）から折り畳むと、長辺が１０５ｍｍ、短辺が１４８ｍｍとなり既述の規定寸法と規定重量を満足する。
二つ折り葉書用紙Ｓは同図（Ａ）に示す如く、ほぼ中央に位置する折りミシン３を挟み左側の葉片１表面には郵便葉書の表示と郵便番号欄が記載されており、右側の葉片２表面右下隅には剥離の端緒となる切り欠き部分Ｋが「ＯＰＥＮ」の表示と共に設けられている。これら各葉片１、２表面の表示は予め印刷されていてもよいが、白紙の状態の二つ折り葉書用紙Ｓに葉片１表面の受取人の住所氏名４や、同図（Ｂ）に示す折り合わされて隠蔽される各葉片裏面の個人的な情報５（一般的な情報でも構わない）等と共にプリンタ等で印刷しても構わない。また葉片２表面にも各種情報を印刷しても構わない。【００１６】  この二つ折り葉書用紙Ｓは、折りミシン３から個人的な情報５が記載された各葉片１、２の裏面側が対向するように二つ折りに折り畳まれ、既述の疑似接着手段により疑似接着される。葉片１、２は折り合わせて対向させると切り欠き部分Ｋにより両葉片が完全に一致することはなく、そのコーナーにおいて段差を形成することになる。そして仕上がり寸法や重量が郵便法の規定に合致しているために通常葉書料金で投函される。
この二つ折り葉書の受取人は葉片２の下隅に印刷された「ＯＰＥＮ」の表示に従い、切り欠き部分Ｋにより形成されている段差を剥離の端緒にして容易に開封し、内容を確認することができる。【００１７】  なお、折りミシン３の位置を中央から少しずらして設けておくと、両葉片１、２の大きさが異なり、折り合わせると側端部分が完全に一致せずに段差が生じる。この段差も前記切り欠き部分Ｋの段差と同じ効果を生じるので剥離の端緒として利用すれば、受取人は極めて容易に開封することができさらに至便である。
この際に折り畳んた後の寸法が郵便法に合致する範囲内でなければならないことはいうまでもない。
【実施例１】
【００１８】  図２は図１の圧着葉書類用用紙Ｓがマイクロミシン６を介して２丁付いた圧着紙葉類用用紙Ｓ１である。
寸法はＡ４サイズ（Ａ５×２倍）で長辺が２９７ｍｍ、短辺が２１０ｍｍ、重量が四六判換算で約９０〜１１０ｋｇである。
この圧着紙葉類用用紙Ｓ１はこのまま２つ折り葉書２枚分をプリンタ等で印刷するか、或いはマイクロミシン６から２丁の２つ折り葉書を手で分断し、個別の二つ折り葉書をそれぞれ印刷した後にそれぞれ疑似接着すればよい。それら二つ折り葉書の作成方法は全て既述の方法に準じる。
【実施例２】
【００１９】  図３は図１の圧着葉書類用用紙Ｓがマイクロミシン７及び８を介して４丁付いた圧着紙葉類用用紙Ｓ２である。
寸法はＡ３サイズ（Ａ５×４倍）で長辺が４２０ｍｍ、短辺が２９７ｍｍ、重量が四六判換算で約９０〜１１０ｋｇである。
この圧着葉書類用用紙Ｓ２はこのまま２つ折り葉書４枚分をプリンタ等で印刷するか、或いはマイクロミシン７及び８から４丁の２つ折り葉書を手で分断し、個別の二つ折り葉書をそれぞれ印刷した後にそれぞれ疑似接着すればよいが、それら詳しい方法は全て既述の方法に準じる。
【実施例３】
【００２０】  図４及び図５は葉片１１、１２、１３が折りミシン１４、１５を介して横方向に連接されたＺ３つ折り葉書用紙ｔ１が、マイクロミシン１６、１７を介して縦方向に３丁連接された圧着紙葉類用用紙Ｓ３の表面図と裏面図をそれぞれ表している。本実施例において切り欠き部分Ｋは葉片１３に設けられている。
圧着紙葉類用用紙Ｓ３はＡ３サイズなので、Ｚ三つ折り葉書用紙ｔ１はそれぞれ長辺が２９７ｍｍ、短辺が１４０ｍｍになる。長辺はほぼ３等分されるためＺ３つ折りされた最終サイズは長辺が１４０ｍｍ、短辺がほぼ９９ｍｍとなり、重量も四六判換算で約７０〜９０ｋｇにすれば寸法と重量共に郵便法の規定を満足する。
この圧着紙葉類用用紙Ｓ３はプリンタ等で表裏面の所定の位置に受取人の住所や個人的な情報等を印刷した後にマイクロミシン１６、１７から３丁のＺ折り葉書用紙ｔ１を分断し、図５に示す葉辺１２裏面の左縁辺に印刷された「郵便はがき」の表示がわずかに表出するように断面Ｚ字状に折り畳まれる。そして図６に示す如く葉辺１１、１２の裏面同士と葉辺１３、１２の表面同士が疑似接着手段Ｇにより疑似接着されるのである。この場合同図に示すように、葉片１１、１２の大きさが異なるために段差が必然的に生じる。従って本実施例のように葉片１３に切り欠き部分Ｋを設けておけば葉片１１には必ずしも切り欠き部分Ｋを設ける必要はない。しかし葉片１１にも切り欠き部分Ｋを設けても一向に構わない。
【実施例４】
【００２１】  図７及び図８は葉片２１、２２、２３が折りミシン２４、２５を介して横方向に連接された巻き折り往復葉書用紙ｔ２が、マイクロミシン２６、２７を介して縦方向に３丁連接された圧着紙葉類用用紙Ｓ４の表面図と裏面図をそれぞれ表している。切り欠き部分Ｋは往信葉書を形成する葉片２１に設けられている。
圧着紙葉類用用紙Ｓ４はＡ３サイズなので、巻き折り往復葉書用紙ｔ２はそれぞれ長辺が２９７ｍｍ、短辺が１４０ｍｍになる。長辺はほぼ３等分されるため巻き折りされた最終サイズは長辺が１４０ｍｍ、短辺がほぼ９９ｍｍとなり、重量も四六判換算で約１１０〜１３５ｋｇにすれば寸法と重量共に郵便法の規定を満足する。
この圧着紙葉類用用紙Ｓ４はプリンタ等で表裏面の所定の位置に受取人の住所氏名や差出人の住所氏名及び個人的な情報等を印刷した後にマイクロミシン２６、２７から３丁の巻き三つ折り往復葉書用紙ｔ２を分断し、図９に示す如く葉辺２１、２２裏面同士が疑似接着手段Ｇにより疑似接着され、葉辺２３が返信葉書として連接された形態で巻き折りされるのである。そして全体として通常の見開き形態の往復葉書として投函される。
受取人は往信葉書の葉片２１に設けられた切り欠き部分Ｋを利用して容易に剥離開封することができるのである。【００２２】  なお本発明は前記実施例に限定されるものではない。
例えば本実施例では一般のプリンターに対応するサイズとしてＡ列を基本にしているが、その中にワイド判サイズが含まれることはいうまでもない。ワイド判サイズは通常のＡ列サイズのトンボ（裁断の見当）が表示できるサイズで、例えばＡ３ワイドは長辺が４６９ｍｍ、短辺が３１８ｍｍであり、Ａ３（長辺が４２０ｍｍ、短辺が２９７ｍｍ）サイズより一回り大きいサイズである。
また葉書に拘ることなく、Ａ列サイズ又はそれ以外のサイズ（Ｂ列、菊判、四六判等）を使用して封筒やその他定型外の圧着紙葉類を複数丁レイアウトして、ＤＭやその他各種販促ツール等に使用することも可能である。
さらにマイクロミシン、折りミシン、切り欠き、切り欠き用のミシン目等は必ずしも設ける必要はなく、見当線やトンボ、目印等を目立たないように表示しておくこともできるその際に表示をすべて印刷せずに部分的に印刷しておいても構わない。【００２３】  本発明の切り欠き部分Ｋは例えば図１０（Ａ）に示すように切り取り用のミシン目Ｍを採用しても構わない。このような場合、葉書作成時にミシン目Ｍからコーナー部分を予め切り落とし、切り欠き部分Ｋを形成した後に葉書を作成してもよく、或いは切り落とさずにそのまま葉書を作成し、剥離開封の際にミシン目Ｍのあるコーナー部分を折り曲げてミシン目を破断してスリット状の切れ目にしてしまい、そのスリットから折り曲げて容易に剥離開封するようにしても構わない。
なお、上記ミシン目Ｍを採用する場合、当然図１乃至３における形態にも適用できる。その場合、例えば図３に相当する図１０（Ｂ）に示すように切り欠き部分や抜き部分（図３の左上二つ折り葉書用紙の切り欠き部分）がなくなり、全体がミシン目Ｍで形成される紙葉類用用紙になる。
また切り欠き部分Ｋは必ずしも葉片コーナーに設ける必要はなく、開封する縁辺の何れの部分（例えば中央）に形成されていても構わない。更にその形状は必ずしも直線で形成される必要はなく曲線や曲線と直線の組み合わせからなるものであっても構わない。
【図面の簡単な説明】
【００２４】
【図１】  （Ａ）及び（Ｂ）は最小単位の二つ折り葉書用紙の表面図と裏面図をそれぞれ表す。
【図２】  二つ折り葉書が２丁印刷されたＡ４サイズの圧着葉書類用用紙の表面図を表す。
【図３】  二つ折り葉書が４丁印刷されたＡ３サイズの圧着葉書用用紙の表面図を表す。
【図４】  Ｚ折り葉書が３丁印刷されたＡ３サイズの圧着葉書類用用紙の表面図を表す。
【図５】  Ｚ折り葉書が３丁印刷されたＡ３サイズの圧着葉書類用用紙の裏面図を表す。
【図６】  Ｚ折り葉書の断面図を表す。
【図７】  巻き三つ折りの往復葉書が３丁印刷されたＡ３サイズの圧着葉書類用用紙の表面図を表す。
【図８】  巻き三つ折りの往復葉書が３丁印刷されたＡ３サイズの圧着葉書類用用紙の裏面図を表す。
【図９】  巻き三つ折りの往復葉書の断面図を表す。
【図１０】  （Ａ）及び（Ｂ）は切り欠き部分にミシン目を設けた場合の各種圧着葉書類用用紙書の表面図をそれぞれ表す。
【符号の説明】
【００２５】    Ｓ  二つ折り葉書用紙
Ｓ１、Ｓ２、Ｓ３、Ｓ４、  圧着葉書類用用紙
ｔ１  Ｚ三つ折り葉書用紙
ｔ２  巻き三つ折り往復葉書用紙
Ｇ  疑似接着手段
１、２、１１、１２、１３、２１、２２、２３  葉辺
４  受取人の住所氏名
５  個人的な情報
３、１４、１５、２４、２５  折りミシン
６、７、８、１６、１７、２６、２７  マイクロミシン
Ｋ  切り欠き部分
Ｍ  ミシン目
【図１】
2005074997.tif 000003
【図２】
2005074997.tif 000004
【図３】
2005074997.tif 000005
【図４】
2005074997.tif 000006
【図５】
2005074997.tif 000007
【図６】
2005074997.tif 000008
【図７】
2005074997.tif 000009
【図８】
2005074997.tif 000010
【図９】
2005074997.tif 000011
【図１０】
2005074997.tif 000012